(57)【要約】【課題】リモートコントロールキーの使用に際して利便性を向上することができ、このように利便性を向上したとしても、例えばキー盗難によって作動機器の使用が不正に許可される状況も生じ難くすることができるリモートコントロールキーシステムを提供する。【解決手段】リモートコントロールキー１と通信可能な受信機６に、ＩＤ照合の有効無効を切り換える有効無効切換スイッチ１４を設ける。受信機６がＩＤコード有効モードの時、受信機６がキー１から作動要求信号Ｓaを受信すると、その作動要求信号Ｓa内のＩＤコードについてＩＤ照合を行い、照合成立を条件に作動機器１１の作動を許可する。一方、受信機６がＩＤコード無効モードの時、このモードにおいて受信機６がキー１から作動要求信号Ｓaを受信すると、作動要求信号Ｓa内にあるＩＤコードは無視し、ＩＤ照合の成立に関係なく作動機器１１の作動を許可する。【選択図】図１
2007162309.tif 000002
【特許請求の範囲】
【請求項１】
キー操作時に当該操作に応じた制御要求とキー固有の識別コードとを含む要求信号を発信可能なリモートコントロールキーと、
前記リモートコントロールキーが発信する前記要求信号を受信し、前記要求信号内の前記識別コードが、作動機器側の識別コードと一致するか否かを照合し、当該照合が成立したことを条件に、前記制御要求に基づく前記作動機器の作動を許可する受信機と、
前記識別コードの有効無効を切り換える切換手段と
を備えたことを特徴とするリモートコントロールキーシステム。
【請求項２】
前記切換手段は、前記受信機に設けられ、前記受信機は、前記識別コードを有効にする状態に設定されている場合、前記リモートコントロールキーから受信した前記識別コードの照合成立を条件に、前記制御要求に基づく前記作動機器の作動を許可し、前記識別コードを無効にする状態に設定されている場合、前記リモートコントロールキーから受信した前記識別コードを無視し、前記照合成立を条件とすることなく、前記制御要求に基づく前記作動機器の作動を許可することを許可することを特徴とする請求項１に記載のリモートコントロールキーシステム。
【請求項３】
前記リモートコントロールキーは、複数の前記識別コードが登録された第１キーと、前記複数の識別コードのうち１以上の前記識別コードが登録された第２キーとから成る構成であって、
前記第１キーから複数ある前記受信機に各々異なる前記識別コードを当該受信機に送信することで、前記受信機ごとに各々個別の前記識別コードを登録し、前記第２キーが前記受信機と通信を行うに際しては、それぞれ組を成すもののみ通信が許可されることを特徴とする請求項１又は２に記載のリモートコントロールキーシステム。
【請求項４】
前記識別コードは、前記リモートコントロールキーに複数記憶され、前記受信機は、前記リモートコントロールキーとの間で複数の識別コードの照合が一致することを条件に、前記制御要求に基づく前記作動機器の作動を許可する階層構造を備えていることを特徴とする請求項１〜３のうちいずれか一項に記載のリモートコントロールキーシステム。
【発明の詳細な説明】
【技術分野】
【０００１】
本発明は、リモートコントロールキーを用いた無線による遠隔操作で各種作動機器を作動させるリモートコントロールキーシステムに関する。
【背景技術】
【０００２】
従来、この種のリモートコントロールキーシステムを用いた装置として、例えば特許文献１に示すような住宅ドアや車両ドア等がある。住宅ドアのリモートキーシステムにおいて施錠状態の住宅ドアのドアロックを解除する場合、リモートコントロールキーのアンロックボタンが押されると、リモートコントロールキーから、ロック解除要求とキー固有のＩＤコードとを乗せた要求信号が発信される。この通信信号のＩＤコードが、住宅に登録されたＩＤコードと一致して照合が成立すれば、住宅ドアのドアロック解除が許可又は実行される。
【０００３】
また、テレビ用のリモートコントロールキーには、通常、ＩＤコードが付与されていないことが多い。このため、例えば病院の病室など同一室内に複数のテレビが存在する場合、リモートコントロールキーでチャンネルや音量の切り替え操作を行うと、場合によっては他のテレビのチャンネルや音量も切り替えられてしまうことがある。テレビにリモコンロック機能が付いていれば、この機能で対処することもできるが、リモートコントロールキーは使用できなくなるため、この方法で対応するには不便さが伴う。よって、同一室内に複数のテレビが存在する場合においても、各リモートコントロールキーにＩＤコードを付与し、意図しないチャンネルや音量切り替えに対応する。
【特許文献１】特開平９−２８７３３０号公報
【発明の開示】
【発明が解決しようとする課題】
【０００４】
しかし、建設途中の住宅やマンションなどにおいて、住宅ドアとリモートコントロールキーとの間に一対一の関係があると、入退室を行うドアごとにリモートコントロールキーを用意する必要があり、建設作業を行うにあたって大変不便である。よって、どのリモートコントロールキーを用いても、住宅ドアを開けることが可能な状況にしたい場合もあった。ここで、例えばＩＤコードを複数持ったキー（マスターキー）を多数発行して対応することも考えられるが、この方法を用いるとマスターキーが盗難にあう可能性が高くなり、住宅への不正侵入を防止するためにも、この方法は現実的に好ましくない。
【０００５】
本発明の目的は、リモートコントロールキーの使用に際して利便性を向上することができ、このように利便性を向上したとしても、例えばキー盗難によって作動機器の使用が不正に許可される状況も生じ難くすることができるリモートコントロールキーシステムを提供することにある。
【課題を解決するための手段】
【０００６】
上記問題を解決するために、本発明によれば、キー操作時に当該操作に応じた制御要求とキー固有の識別コードとを含む要求信号を発信可能なリモートコントロールキーと、前記リモートコントロールキーが発信する前記要求信号を受信し、前記要求信号内の前記識別コードが、作動機器側の識別コードと一致するか否かを照合し、当該照合が成立したことを条件に、前記制御要求に基づく前記作動機器の作動を許可する受信機と、前記識別コードの有効無効を切り換える切換手段とを備えたことを要旨とする。
【０００７】
この構成によれば、リモートコントロールキーが操作されると、そのキー操作に応じた制御要求とキー固有の識別コードとを含む要求信号が、リモートコントロールキーから発信される。このとき、リモートコントロールキーと受信機との間の通信が識別コードを有効とするモードに設定されている場合、この要求信号を受信機が受信すると、受信機によって識別照合が開始され、受信した要求信号内の識別コードが受信機側の識別コードが一致するか否かが判定される。識別照合成立を認識した受信機は、制御要求に基づく作動機器の作動を許可する。
【０００８】
一方、リモートコントロールキーと受信機との間の通信が識別コードを無効とするモードに設定されている場合、リモートコントロールキーが発信する要求信号を受け付けた受信機は、この要求信号内の識別コードを無視し、識別コードの照合成立を条件とすることなく、制御信号に基づく作動機器の作動を許可する。
【０００９】
よって、識別コードを無効に設定しておけば、識別コードの異なるどのリモートコントロールキーを用いても作動機器を作動させることが可能となる。このため、作動させたい作動機器ごとに個別のリモートコントロールキーを所有する必要がなくなり、利便性が高くなる。一方、受信機の作動モードを識別コード有効モードに設定しておけば、専用のリモートコントロールキーを所有していないと作動機器を作動させることができず、受信機の作動モードを無効から有効に切り換えておけば、作動機器の不正使用等の問題も発生し難い。
【００１０】
本発明によれば、前記切換手段は、前記受信機に設けられ、前記受信機は、前記識別コードを有効にする状態に設定されている場合、前記リモートコントロールキーから受信した前記識別コードの照合成立を条件に、前記制御要求に基づく前記作動機器の作動を許可し、前記識別コードを無効にする状態に設定されている場合、前記リモートコントロールキーから受信した前記識別コードを無視し、前記照合成立を条件とすることなく、前記制御要求に基づく前記作動機器の作動を許可することを許可することを要旨とする。
【００１１】
この構成によれば、この種の受信機は、例えば室内の所定位置や作動機器の筐体などの、第三者によって操作され難い場所に配置されているため、受信機に切換手段を取り付けておけば、勝手に操作され難い場所に切換手段が配置されることになる。よって、第三者が勝手に切換手段を有効から無効に切り換え操作して作動機器を作動させてしまうような状況が生じ難くなり、高いセキュリティ性確保に効果がある。
【００１２】
本発明によれば、前記リモートコントロールキーは、複数の前記識別コードが登録された第１キーと、前記複数の識別コードのうち１以上の前記識別コードが登録された第２キーとから成る構成であって、前記第１キーから複数ある前記受信機に各々異なる前記識別コードを当該受信機に送信することで、前記受信機ごとに各々個別の前記識別コードを登録し、前記第２キーが前記受信機と通信を行うに際しては、それぞれ組を成すもののみ通信が許可されることを要旨とする。
【００１３】
この構成によれば、受信機が複数設置されている場合、複数の識別コードが登録された第１キーから、受信機ごとに異なる識別コードを各々の受信機に送信することで、受信機に各々異なる識別コードを登録する。従って、個々の受信機をそれぞれ異なる識別コードで識別することが可能となり、識別コードを有効とした場合において第２キーで作動機器を作動させようとすると、受信機ごとに専用の第２キーを用意する必要があることから、識別コードを有効としておけば、作動機器の不正使用を発生し難くすることが可能となる。
【００１４】
本発明によれば、前記識別コードは、前記リモートコントロールキーに複数記憶され、前記受信機は、前記リモートコントロールキーとの間で複数の識別コードの照合が一致することを条件に、前記制御要求に基づく前記作動機器の作動を許可する階層構造を備えていることを要旨とする。
【００１５】
この構成によれば、リモートコントロールキーと受信機との間で複数の識別コードが一致しないと、作動機器の作動が許可されない。通常、複数の識別コードを有したリモートコントロールキーは、ユーザが常に持ち歩くマスターキーであることが多く、その意味では盗難等の可能性は低いキーであると言える。従って、セキュリティ性を高くしたい作動機器については、識別照合を階層構造にしておけば、第三者が例えばサブキーを盗み出してこのキーで作動機器を作動させようとしても、階層構造となった作動機器は作動が許可されないことから、第三者による不正使用の防止に効果が高い。
【発明の効果】
【００１６】
本発明によれば、リモートコントロールキーの使用に際して利便性を向上することができ、このように利便性を向上したとしても、例えばキー盗難によって作動機器の使用が不正に許可される状況も生じ難くすることができる。
【発明を実施するための最良の形態】
【００１７】
以下、本発明を具体化したリモートコントロールキーシステムの一実施形態を図１〜図３に従って説明する。
図１に示すように、無線通信が可能なリモートコントロールキー１には、このリモートコントロールキー１を統括制御するＣＰＵ２が搭載されている。ＣＰＵ２には、各種機能ごとにボタン群３が接続されている。このボタン群３としては、リモートコントロールキー１が住宅ドア用や車両ドア用の場合、ロックボタンやアンロックボタン等があり、リモートコントロールキー１がテレビ用の場合、電源ボタン、チャンネルボタン、音量ボタン、表示切換ボタン等がある。
【００１８】
リモートコントロールキー１は、これら各種ボタンが１つのリモートコントロールキー１に全て存在していてもよいし、キー機能に応じた必要なボタンのみが存在していてもどちらでもよい。例えば、リモートコントロールキー１が住宅ドアや車両ドアを開閉するキーの場合、このリモートコントロールキー１には、ロックボタン及びアンロックボタンの２つのボタンが存在することになる。
【００１９】
ＣＰＵ２には、複数のＩＤコード（識別コード）を記憶したメモリ４と、各種信号を発信可能な通信回路５とが接続されている。ＣＰＵ２は、ボタン群３が操作された際、その操作されたボタンからスイッチ信号を受け付け、その操作されたボタンに応じた制御コード（制御要求）を生成するとともに、それにメモリ４内のＩＤコードを付けて通信回路５に出力する。通信回路５は、ＩＤコードと制御コードとを乗せた作動要求信号Ｓaを、自身の通信アンテナ５ａから電波通信帯域や赤外線帯域の信号で発信する。
【００２０】
住宅、車両、テレビ等には、リモートコントロールキー１との間で無線通信が可能な受信機６が、住宅ドア、車両ドア、テレビごとに設置されている。本例の受信機６は、住宅に設置される場合、室外から操作されないように室内に配置され、車両に設置される場合、車外から操作されないように車内に配置され、テレビに設置される場合、テレビの外から見えないようにケース内に内蔵されている。受信機６を第三者に見つけられ難くするには、受信機６を隠し位置（蓋部等を外さないと外部に露出しない位置）に配置するのが好ましい。
【００２１】
受信機６には、この受信機６を統括制御するＣＰＵ７が搭載されている。ＣＰＵ７には、受信機６の電源のON/OFFを切り換える起動用ボタン８と、ＩＤコード（場合によっては複数）を記憶したメモリ９と、各種信号を発信可能な通信回路１０とが接続されている。ＣＰＵ７は、電源OFF状態のときに起動用ボタン８が押されたことを検出すると、受信機６を起動させ、電源ON状態のときに起動用ボタン８が押されたことを検出すると、受信機６の起動を停止して受信機６を待機状態にする。
【００２２】
起動状態の時のＣＰＵ７は、リモートコントロールキー１が発信した作動要求信号Ｓaを、通信回路１０の通信アンテナ１０ａを介し受信すると、作動要求信号Ｓaに含まれるＩＤコードと、受信機６のメモリ９に登録したＩＤコードとを比較してＩＤ照合を行う。ＣＰＵ７は、これらＩＤコードが一致して照合が成立したと判定すると、このとき通信が確立しているリモートコントロールキー１が、自身と組（ペア）をなす正規のキーであると認識する。
【００２３】
なお、リモートコントロールキー１は、作動要求信号Ｓaを発信する際、ＩＤコードを暗号化して発信してもよいし、非暗号化の状態のまま発信してもどちらでもよい。ＩＤコードを暗号化して発信する場合、ＣＰＵ２がＩＤコードを暗号化し、その暗号化ＩＤコードを含む作動要求信号Ｓaを通信回路５の通信アンテナ５ａから発信させる。この暗号化ＩＤコードを有する作動要求信号Ｓaを受信したＣＰＵ７は、暗号化ＩＤコードを解読し、作動要求信号Ｓa内に含まれるＩＤコードとその制御コードとを読み出す。
【００２４】
受信機６には、住宅ドアの電気錠、車両ドアの電気錠、テレビのスイッチ（各種ボリューム）等の作動機器１１を制御する制御装置１２が接続されている。作動要求信号Ｓaを受信したＣＰＵ７は、その作動要求信号Ｓa内のＩＤコードに関して照合成立を認識すると、その時に受信した作動要求信号Ｓa内の制御コードを、受信機６内のインターフェース１３を介して制御装置１２に出力する。制御装置１２は、受信機６から制御コードを受け付けると、その制御コードに基づく作動で作動機器１１を作動させる。例えば、住宅ドア用電気錠を解除する制御コードを受け取った制御装置１２は、住宅ドア用電気錠を解錠側に作動させて住宅ドア用電気錠を解除する。作動機器１１及び制御装置１２は、住宅ドアごと、車両ドアごと、テレビごとに各々配設されている。
【００２５】
受信機６には、リモートコントロールキー１から受信した作動要求信号ＳaのＩＤコードの有効無効を切り換える有効無効切換スイッチ１４が配設されている。本例の有効無効切換スイッチ１４は、自身の操作部１４ａを、ＩＤコードを有効にする有効位置とＩＤコードを無効にする無効位置との二位置間で切り換る手動式スイッチであって、ＣＰＵ７に接続されている。有効無効切換スイッチ１４は、自身が有効位置にあるとき、有効位置である旨の有効通知信号を、一方で自身が無効位置にあるとき、無効位置である旨の無効通知信号をＣＰＵ７に各々出力する。
【００２６】
ＣＰＵ７は、有効無効切換スイッチ１４から有効通知信号を受けると、受信機６の作動モードをＩＤコード有効モードとする。ＣＰＵ７は、作動モードがＩＤコード有効モードの時に作動要求信号Ｓaを受信すると、作動要求信号Ｓa内のＩＤコードでＩＤ照合を行い、この照合成立を条件に作動要求信号Ｓa内の制御コードを制御装置１２に転送し、その制御コードに基づく作動機器１１の作動を許可する。
【００２７】
一方、ＣＰＵ７は、有効無効切換スイッチ１４から無効通知信号を受けると、受信機６の作動モードをＩＤ無効モードとする。ＣＰＵ７は、作動モードがＩＤコード無効モードの時に作動要求信号Ｓaを受信すると、作動要求信号Ｓa内のＩＤコードを無視し、照合成立に関係なく作動要求信号Ｓa内の制御コードを制御装置１２に転送し、その制御コードに基づく作動機器１１の作動を許可する。なお、ＣＰＵ７及び有効無効切換スイッチ１４が切換手段を構成する。
【００２８】
次に、本例のリモートコントロールキーシステムの動作について説明する。
まず、ＩＤコードを有効とする場合を述べる。例えば、操作者が有効無効切換スイッチ１４を有効位置に操作すると、有効無効切換スイッチ１４から有効通知信号がＣＰＵ７に出力される。この有効通知信号を受け取ったＣＰＵ７は、例えば自身の内部にあるフラグカウンタにＩＤ有効モードフラグを立てて、受信機６の作動モードをＩＤコード有効モードにする。
【００２９】
この状況下において、リモートコントロールキー１から発信された作動要求信号Ｓaを受信機６が受信すると、ＣＰＵ７がこの作動要求信号Ｓa内のＩＤコードに関して照合を行う。ＩＤ照合において照合成立を認識したＣＰＵ７は、作動要求信号Ｓaに付与された制御コードを制御装置１２に転送する。この制御コードを受け取った制御装置１２は、制御コードの内容を参照し、作動機器１１が制御コードの内容に応じた動作で動くように作動機器１１を制御する。
【００３０】
従って、例えば作動機器１１が住宅ドア用電気錠や車両ドア用電気錠の場合、ＩＤコードが受信機６側のＩＤコードと一致する専用のリモートコントロールキー１を用いないと、これら電気錠の施解錠が行えない。このため、住宅や車内への不正侵入に対する高いセキュリティ性が保たれる。また、作動機器１１がテレビの場合、ＩＤコードが受信機６側のＩＤコードと一致する専用のリモートコントロールキー１を用いないないと、テレビの電源、チャンネル、音量操作等が行えない。よって、例えば同一室内に複数のテレビが存在する場合において、リモートコントロールキー１を操作したとしても、他のテレビまで操作される状況になり難い。
【００３１】
続いて、ＩＤコードを無効とする場合を述べる。操作者が有効無効切換スイッチ１４を無効位置に操作すると、有効無効切換スイッチ１４から無効通知信号がＣＰＵ７に出力される。この無効通知信号を受け取ったＣＰＵ７は、例えば自身の内部にあるフラグカウンタにＩＤ無効モードフラグを立てて、受信機６の作動モードをＩＤコード無効モードにする。
【００３２】
この状況下において、ＩＤコード無効モードのＣＰＵ７は、リモートコントロールキー１から発信された作動要求信号Ｓaを受信機６が受信すると、作動要求信号Ｓa内のＩＤコードを無視し、通常なら行うべきＩＤ照合を行わずに、作動要求信号Ｓa内の制御コードを制御装置１２に転送する。この制御コードを受け取った制御装置１２は、作動モードがＩＤコード有効モードの時と同様に、作動機器１１が制御コードの内容に応じた動作で動くように作動機器１１を制御する。
【００３３】
従って、受信機６のメモリ９にＩＤコードが登録されていないどのリモートコントロールキー１を使用しても、住宅ドア用電気錠、車両ドア用電気錠、テレビを操作することが可能となる。よって、例えば建築途中の住宅において、各住宅ドアの電気錠をどのリモートコントロールキー１を用いてでも施解錠することが可能となり、キーを１つだけ所有していればそれがマスターキーとなることから、建設作業の際に住宅ドアごとに専用のリモートコントロールキーを所有する手間を省くことが可能となり、利便性が高い。
【００３４】
本例のように、リモートコントロールキー１のメモリ４に複数のＩＤコードが登録されている場合、作動要求信号Ｓaを発信するに際してリモートコントロールキー１のＣＰＵ２は、メモリ４内のＩＤコードを全て作動要求信号Ｓaに含ませて作動要求信号Ｓaを発信する。この作動要求信号Ｓaを受信した受信機６のＣＰＵ７は、作動要求信号Ｓa内のどれかのＩＤコードが、メモリ９内のＩＤコードと一致すれば、それを照合成立とみなし、作動要求信号Ｓa内の制御コードに基づく作動機器１１の作動を許可する。
【００３５】
受信機６のメモリ９のＩＤコードは、リモートコントロールキー１から同キー１のＩＤコードを送信して登録したコードである。本例のように、リモートコントロールキー１に複数のＩＤコードが登録されている場合、ＩＤコード登録作業は以下の通りの内容で行われる。このＩＤコード登録作業として、リモートコントロールキー１が例えば住宅ドア用（車両ドア用も可）の場合、例えばロックボタンとアンロックボタンとを同時に押して、リモートコントロールキー１の作動モードをＩＤコード登録モードにする。
【００３６】
リモートコントロールキー１の作動モードがＩＤコード登録モードのとき、リモートコントロールキー１のロックボタンがＩＤコードの選択ボタンとして機能し、ロックボタンをｎ回押すと、メモリ４内のｎ番目のＩＤコードが送信対象に選択される。例えば、ロックボタンを１回押せば、メモリ４内の１番目のＩＤコードが送信対象に選択され、ロックボタンを２回押せば、メモリ４内の２番目のＩＤコードが送信対象に選択される。
【００３７】
リモートコントロールキー１の作動モードがＩＤコード登録モードの時、リモートコントロールキー１のアンロックボタンが送信実行ボタンとして機能する。このため、送信したいＩＤコードをロックボタンで選択した後にアンロックボタンが押されると、リモートコントロールキー１からは、選択指定したＩＤコードと、同ＩＤコードが登録用ＩＤである旨を通知する制御コードとを含んだ作動要求信号Ｓaが発信される。受信機６のＣＰＵ７は、この登録用ＩＤを含んだ作動要求信号Ｓaを受信すると、その作動要求信号Ｓa内のＩＤコードをメモリ９に書き込み、以上をもってＩＤコード登録作業を完了する。なお、受信機６のメモリ９に登録されたＩＤコードは、上書き可能であっても、或いは不可能であってもどちらでもよい。
【００３８】
ここで、図２（ａ），（ｂ）に示すように、複数のＩＤコードが登録されたリモートコントロールキー１は、マスターキー１ａとして使用され、ＩＤコードが１つのみ登録されたリモートコントロールキー１は、サブキー１ｂとして使用される。本例においては、マスターキー１ａを用い、複数の各受信機６にそれぞれ異なるＩＤコードを登録すれば、サブキー１ｂを用いて作動機器１１を作動させる場合、個々の受信機６ごとに異なるＩＤコードで識別することが可能となる。
【００３９】
よって、各受信機６の有効無効切換スイッチ１４を有効にしておけば、図２（ａ）に示すように受信機６とサブキー１ｂとの間では一対一の関係があることから、マスターキーａを除いては、専用のサブキー１ｂでないとその受信機６に接続された作動機器１１を作動させることができず、作動機器１１が不正に操作され難い。一方、各受信機６の有効無効切換スイッチ１４を無効にしておけば、図２（ｂ）に示すようにどのサブキー１ｂを用いても作動機器１１を作動させることが可能となり、上述したように住宅建設途中の作業現場において利便性が高くなる。なお、マスターキー１ａが第１キーに、サブキー１ｂが第２キーに相当する。
【００４０】
また、受信機６のＣＰＵ７が行うＩＤ照合は、複数のＩＤコードが一致することを条件に照合成立を認識する階層構造でもよい。この階層構造においては、図３に示すように受信機６のメモリ９に複数のＩＤコードが登録されている必要がある。そして、受信機６のＣＰＵ７は、リモートコントロールキー１から作動要求信号Ｓaを受信した際、メモリ９内の全てのＩＤコードが作動要求信号Ｓaに含まれているか否かを判定し、メモリ９内の全てのＩＤコードが作動要求信号Ｓaに存在していれば照合一致を認識し、作動機器１１の作動を許可する。
【００４１】
ここで、ＩＤ照合の階層構造の階層数は、メモリ９に登録されたＩＤコードの数に応じて決まる。例えば、メモリ９にＩＤコードが２つ登録されていれば、階層構造の階層数は２層であり、メモリ９にＩＤコードが３つ登録されていれば、階層構造の階層数は３層である。また、ＩＤ照合の階層構造の階層数は、ユーザが自由に設定可能としてもよい。例えば、メモリ９内に１０個程度のＩＤコードを登録しておき、起動用ボタン８等の各種ボタンを操作して階層数を適宜設定することも可能である。
【００４２】
本実施形態の構成によれば、以下に記載の効果を得ることができる。
（１）受信機６に有効無効切換スイッチ１４を配設し、この有効無効切換スイッチ１４を操作することで、受信機６の作動モードをＩＤコード有効モードとＩＤコード無効モードとを切り換える。よって、受信機６をＩＤコード無効モードにすれば、どのリモートコントロールキー１を使用しても作動機器１１を作動させることが可能となるため、各々専用のリモートコントロールキー１を用意する手間が省け、利便性が高い。また、受信機６の作動モードをＩＤコード無効モードからＩＤコード有効モードに切り換えれば、各受信機６に対し専用のリモートコントロールキー１でないと作動が許可されないため、作動機器１１の不正使用に対して受信機６を高いセキュリティ状態にしておくこともできる。
【００４３】
（２）ＩＤ照合の有効無効を切り換える有効無効切換スイッチ１４を受信機６に配置した。ところで、この種の受信機６は、リモートコントロールキーシステムが例えば住宅ドア用や車両ドア用の場合、室内の内壁に配置されたり、またはリモートコントロールキーシステムが例えばテレビ用の場合、テレビのケース内部に配置されたりする。即ち、第三者によって発見され難い場所に受信機６は配置されるため、受信機６に有効無効切換スイッチ１４を配設すれば、有効無効切換スイッチ１４は発見され難い場所に配置された状態となる。よって、第三者が勝手に有効無効切換スイッチ１４を有効から無効に切り換えて、作動機器１１を許可なく作動させてしまうような状況を生じ難くでき、作動機器１１の不正使用に対するセキュリティ性を確保することができる。
【００４４】
（３）複数のＩＤコードがリモートコントロールキー１（マスターキー１ａ）に登録されている場合、このマスターキー１ａを操作して複数の各受信機６にそれぞれ異なるＩＤコードを登録すれば、個々の受信機６ごとに異なるＩＤコードでこれら受信機６を識別することができる。よって、サブキー１ｂを使用して作動機器１１を作動させる場合には、受信機６ごとにサブキー１ｂを用意する必要があるため、サブキー１ｂを用いる場合においては、作動機器１１の不正使用に対するセキュリティレベルを高く設定することができる。
【００４５】
（４）リモートコントロールキー１と受信機６との間のＩＤ照合を階層構造とした場合、複数のＩＤコードで照合が成立しないと、作動機器１１の作動が許可されない。ところで、複数のＩＤコードを有したリモートコントロールキー１（即ち、マスターキー１ａ）は、ユーザが常に持ち歩くキーであるため、盗難にあう可能性が低いキーであると言える。よって、不正使用に対するセキュリティレベルを高く設定したい作動機器１１については、ＩＤ照合を階層構造にしておけば、第三者がサブキー１ｂを盗み出してこのキーで作動機器１１を作動させようとしても、階層構造を用いた作動機器１１は作動が許可されないことから、第三者による不正使用防止に効果が高くなる。
【００４６】
なお、本実施形態は上記構成に限定されず、以下の態様に変更してもよい。
・  受信機６のメモリ９にリモートコントロールキー１のＩＤコードを登録するＩＤコード登録作業は、リモートコントロールキー１をＩＤコード登録モードにし、その状態でリモートコントロールキー１からＩＤコードを発信させて受信機６に登録する方法に限定されない。例えば、リモートコントロールキー１にＩＤコードが１つだけ登録されている場合、例えば起動用ボタン８を長押しして受信機６をＩＤコード登録モードとし、この状態でリモートコントロールキー１のボタン群３を押して作動要求信号Ｓaを発信させ、この作動要求信号Ｓaに含まれるＩＤコードをメモリ９に書き込むことで、ＩＤコード登録を行うものでもよい。
【００４７】
・  ＩＤコード登録作業は、必ずしもリモートコントロールキー１や受信機６をＩＤコード登録モードとした手順を経ることで、ＩＤコードがメモリ９に登録されることに限定されない。例えば、受信機６のメモリ９にＩＤコードが登録されていない初期状態のとき、リモートコントロールキー１から最初に受信した作動要求信号Ｓaに含まれるＩＤコードが、メモリ９に自動で登録されるものでもよい。
【００４８】
・  リモートコントロールキーシステムを住宅や車両のドアに適用した場合、リモートコントロールキーシステムの採用対象は、ロックボタンやアンロックボタンを操作することで電気錠（ドアロック）の施解錠が行われるワイヤレスキーシステムに限定されない。即ち、受信機６がリクエスト信号を発信して周囲に形成する通信エリアに正規のリモートコントロールキー１が入ると自動でドアロックが解除され、正規のリモートコントロールキー１が受信機６の通信エリア外に出ると自動でドアロックが施錠されるハンズフリーシステムに適用してもよい。
【００４９】
・  リモートコントロールキー１と受信機６との間で照合されるＩＤコードは、これら二者間で各々のＩＤコードをペアリングする方法を用いてもよい。即ち、図４に示すように、リモートコントロールキー１がキー側ＩＤコードを予め所有し、受信機６が受信機側ＩＤコードを予め所有しており、これら両者のＩＤコードが、リモートコントロールキー１のメモリ４と受信機６のメモリ９とのそれぞれに登録された状態にしておく。そして、リモートコントロールキー１が受信機６と通信する際、受信機６はリモートコントロールキー１からキー側ＩＤコードを受け取ると、それに関してＩＤ照合を行うとともに、自身の受信機側ＩＤコードを返信する。受信機側ＩＤコードをリモートコントロールキー１が受け取ると、リモートコントロールキー１はこのＩＤコードに関してＩＤ照合を行い、照合が成立するとその旨を受信機６に返信する。受信機６は、受信機側ＩＤコードとキー側ＩＤコードとの両方で照合成立を認識すると、作動機器１１の作動を許可する。この場合、ＩＤ照合時において使用するＩＤコードが２種類となるので、作動機器１１の不正使用に対するセキュリティ性を非常に高いものとすることができる。
【００５０】
・  ＩＤ照合の有効無効の切り換えは、必ずしも受信機６側で行われることに限らず、リモートコントロールキー１側で行ってもよい。リモートコントロールキー１側での有効無効の切り換えは、例えばボタン群３の押しパターン（例えば、ロックボタンを２回押してアンロックボタンを３回押すなど）によって切り換える方法が採用される。リモートコントロールキー１側でＩＤ照合の有効無効を切り換える場合、リモートコントロールキー１から作動要求信号Ｓaが受信機６に送信される際、ＩＤ照合を有効無効のどちらにするかの指令が作動要求信号Ｓaに含まれて受信機６に送られる。そして、この作動要求信号Ｓaを受信機６が受信すると、受信機６はこの指令を解読し、ＩＤ照合が有効の旨の指令が送られた場合はＩＤ照合を行い、ＩＤ照合が無効の旨の指令が送られた場合はＩＤ照合を行わずに作動機器１１の作動を許可する。
【００５１】
・  切換スイッチ１４は、操作部１４ａを有効位置及び無効位置の二位置間で切り換える手動式スイッチに限定されず、例えば、有効と無効との各々において独立して設けた押しボタン式のスイッチでもよい。
【００５２】
・  リモートコントロールキー１に登録されたＩＤコードは、メモリ４が書き込み可能なメモリであるならば、新たなＩＤコードをメモリ４に書き加えて、ＩＤコード数を増やすことも可能である。また、リモートコントロールキー１のＩＤコードを増やす他の方法としては、例えばＩＤコードが書き込まれたメモリを、リモートコントロールキー１のチップに増設する方法も採用可能である。更に、リモートコントロールキー１のメモリ４がデータ書き換え可能なメモリならば、このメモリ４に書き込まれるＩＤコードを更新（新たに書き換える）してもよい。
【００５３】
・  本例のリモートコントロールキーシステムは、住宅ドア、車両ドア、テレビに用いることに限らず、リモートコントロールキー１を用いて機器を遠隔操作したいシステムであれば、その採用対象は限定されない。
【００５４】
次に、上記実施形態及び別例から把握できる技術的思想について、それらの効果とともに以下に追記する。
（１）請求項１〜４のいずれかにおいて、前記切換手段は、操作部を手動で有効位置又は無効位置に位置させ、前記有効位置又は前記無効位置に応じた信号を出力することで、前記識別コードの有効無効を切り換える手動式スイッチである。この場合、切換手段が手動式スイッチという簡単な構造のもので済み、部品コスト抑制等に効果がある。
【００５５】
（２）請求項１〜４のいずれかにおいて、前記切換手段は、前記作動機器が扉の場合、入退室対象の室内に設置されている。この場合、切換手段が室内に設置されていれば、第三者によって勝手に切換手段の有効無効が切り換えられずに済み、不正進入に対するセキュリティ性が確保される。
【図面の簡単な説明】
【００５６】
【図１】一実施形態のリモートコントロールキーシステムの概要を示すブロック図。
【図２】（ａ）はＩＤ照合が有効の時の説明図、（ｂ）はＩＤ照合が無効の時の説明図。
【図３】ＩＤ照合が階層構造の時のリモートコントロールキーシステムのブロック図。
【図４】別例においてＩＤ照合でＩＤコードをペアリングする方法を用いた際の説明図。
【符号の説明】
【００５７】
１…リモートコントロールキー、１ａ…第１キーとしてのマスターキー、１ｂ…第２キーとしてのサブキー、６…受信機、７…切換手段を構成するＣＰＵ、１１…作動機器、１４…切換手段を構成する有効無効切換スイッチ、Ｓa…要求信号としての作動要求信号。
【図１】
2007162309.tif 000003
【図２】
2007162309.tif 000004
【図３】
2007162309.tif 000005
【図４】
2007162309.tif 000006